(57)【要約】【課題】特に高ユーザデータトラフィック期間中の、通信ネットワークモバイル端末へのシグナリングの低減を達成する。【解決手段】無線通信システム４内のモバイル端末１と基地局２および／またはアクセスポイント３の間の同期または接続を確立する方法に関し、モバイル端末は以下のステップを実施する。ａ）モバイル端末のロケーション５を測定するステップと、ｂ）モバイル端末に記憶されている、基地局および／またはアクセスポイントの位置６、７、および基地局および／またはアクセスポイントの少なくとも１つとの同期または接続を確立するためにモバイル端末によって使用可能なパラメータについての情報を含むデータと、上記ロケーションを比べることによって基地局および／またはアクセスポイントを識別するステップと、ｃ）前記パラメータの助けを借りて識別された基地局および／またはアクセスポイントとの同期あるいは接続を確立するステップ。【選択図】図１
2006262459.tif 000002
【特許請求の範囲】
【請求項１】
モバイル端末（１）と基地局（２）および／またはアクセスポイント（３）の間の同期を確立するための、または接続を確立するための方法であって、それによってモバイル端末が、
ａ）モバイル端末のロケーション（５）を測定するステップと、
ｂ）モバイル端末に記憶されている
ｂ１）基地局および／またはアクセスポイントの位置（６、７）、および
ｂ２）これらの基地局および／またはアクセスポイントに関連するパラメータであって、これらの基地局および／またはアクセスポイントの少なくとも１つとの同期を確立するように、かつ／または接続を確立するようにモバイル端末によって使用可能なパラメータ
についての情報を含むデータと、前記ロケーションを比べることによって基地局および／またはアクセスポイントを識別するステップと、
ｃ）前記パラメータの助けを借りて識別された基地局および／またはアクセスポイントとの同期を確立し、あるいは接続を確立するステップと
を含む方法。
【請求項２】
モバイル端末がその現在のロケーションを測定するためにロケーション識別手段（８）を使用することを特徴とする請求項１に記載の方法。
【請求項３】
基地局および／またはアクセスポイントが通信システムのための異なる標準に関連し、特にＵＭＴＳシステム、ＷＩＭＡＸシステム、またはＷＬＡＮシステムに関係することを特徴とする請求項１に記載の方法。
【請求項４】
データがネットワークからダウンロードされることを特徴とする請求項１に記載の方法。
【請求項５】
データが予め決められた空間的広がりの領域（９）内の基地局および／またはアクセスポイントに関係すること、およびモバイル端末が前記の領域内に位置することを特徴とする請求項１に記載の方法。
【請求項６】
モバイル端末が領域の境界（１０）に近づいたとき、データがネットワークを介して更新されることを特徴とする請求項５に記載の方法。
【請求項７】
ロケーション識別手段（８）を有し、データを記憶するための記憶メモリ（１１）を有し、メモリを管理するための手段（１２）を有するモバイル端末（１）であって、管理手段が
ａ）ロケーション識別手段からモバイル端末のロケーション（５）を受け取るように、ならびに
ｂ）記憶メモリに記憶されたデータであって、
ｂ１）基地局および／またはアクセスポイントの位置（６、７）、および
ｂ２）これらの基地局および／またはアクセスポイントに関連するパラメータであって、これらの基地局および／またはアクセスポイントの少なくとも１つとの同期を確立するために、または接続を確立するためにモバイル端末によって使用可能なパラメータ
についての情報を含むデータとロケーションを比べることによって基地局（２）および／またはアクセスポイント（３）を識別するように
構成されたことを特徴とするモバイル端末。
【請求項８】
ロケーション識別手段がＧＰＳシステムであることを特徴とする請求項７に記載のモバイル端末。
【請求項９】
管理手段が通信ネットワーク（３）からデータをダウンロードするように構成されることを特徴とする請求項７に記載のモバイル端末。
【請求項１０】
モバイル端末が、データが基地局および／またはアクセスポイントの位置を提供する領域（９）の境界（１０）に近づいたとき、管理手段が更新を開始するように構成されることを特徴とする請求項９に記載のモバイル端末。
【請求項１１】
基地局および／またはアクセスポイントが通信システムに関する異なる規格に関連し、特にＵＭＴＳシステム、ＷＩＭＡＸシステム、またはＷＬＡＮシステムに関係することを特徴とする請求項７に記載のモバイル端末。
【請求項１２】
通信システムであって、データが、
ａ）基地局（２）および／またはアクセスポイント（３）の位置（６、７）、ならびに
ｂ）これらの基地局および／またはアクセスポイントに関連するパラメータであって、これらの基地局および／またはアクセスポイントの少なくとも１つとの同期を確立するために、または接続を確立するためにモバイル端末（１）によって使用可能なパラメータ
についての情報を含むことを特徴とする前記データを記憶するための記憶メモリ（１１）を含む通信システム。
【請求項１３】
通信システムであって、基地局および／またはアクセスポイントが通信システムに関する異なる規格に関連し、特にＵＭＴＳシステム、ＷＩＭＡＸシステム、またはＷＬＡＮシステムに関係することを特徴とする請求項１２に記載の通信システム。
【請求項１４】
通信システムであって、前記データをモバイル端末にダウンロードするための手段（１３）を有することを特徴とする請求項１２に記載の通信システム。
【請求項１５】
コンピュータ読み取り可能な媒体を含むコンピュータプログラム製品であって、前記プログラムがロードされたとき、コンピュータに請求項１から６のいずれかに記載の方法を実行させるコンピュータプログラムコード手段をその上に搭載するコンピュータプログラム製品。
【発明の詳細な説明】
【技術分野】
【０００１】
本発明は、遠隔通信システムに関し、詳細にはセルラー無線通信システムに関する。本発明は、同種ネットワークおよび異種ネットワーク内のモバイル端末のモビリティ管理を容易にする。
【背景技術】
【０００２】
ＧＳＭ／ＧＰＲＳまたはＵＭＴＳ規格だけでなくＩＥＥＥ８０２．１１ＷＬＡＮ規格にも準拠したシステムなどの無線通信システムは、信号の交換によってモバイル端末と通信する基地局またはアクセスポイントを有する。
【０００３】
基地局またはアクセスポイントは、カスタマーから容易にアクセス可能な、無線または有線通信システム内のポイントまたはノードである。一般に、基地局またはアクセスポイントは、限定された地理的エリアをカバーし、特にそのエリア内にあるモバイルノードにサービスを提供して、それらの無線通信構成要素を使用することによって対応するノードにアクセスする。
【０００４】
基地局とアクセスポイントは、それらのネットワーク内でそれぞれ異なる機能を提供するので、たいていの場合、同義ではない。しかし、本説明は、多くの場合、簡単にするためにアクセスポイントに言及するだけである。アクセスポイントの定義に関しては、J．  Manner、M．  Kojo、「Mobility  Related  Terminology」、RFC  3753、IETF、２００４年６月、（Informational）を参照されたい。本説明がアクセスポイントに言及した場合、その説明が基地局にも適用されることは当業者には明らかである。
【０００５】
さらに、異なる通信規格はそれぞれ異なる用語を使用することを当業者は知っている。本説明は、ネットワークへの無線通信を確立することができるモバイルデバイスであるＰＤＡ、移動電話、ラップトップなどのモバイル端末にしばしば言及する。他のネットワークでは、その点で同義である語、移動局またはユーザ機器（ＵＥ）を使用する。
【０００６】
基本的に、前述の信号は、移動電話の音声データなどのユーザデータを指すか、それともアクセスポイントおよびモバイル端末がそのサービスを提供するために交換する必要がある補足信号である。
【０００７】
一例として、補足信号は、ＵＭＴＳネットワーク内のユーザ機器（ＵＥ）などのモバイル端末が、ＵＭＴＳネットワーク内の基地局であるノードＢを介してＵＭＴＳネットワークに登録しようとするときに交換される。ユーザ機器がスイッチオンされた後で、以下のステップが実施される。
１．ノードＢから送信されたプライマリ同期チャネル（Ｐ−ＳＣＨ）からの信号が、タイムスロット同期を行うためにＵＥによって評価される。これらの信号は、全てのセル内で等しく、スクランブルされていない。
２．ノードＢから送信されたセカンダリ同期チャネル（Ｓ−ＳＣＨ）からの信号が、このセカンダリ同期チャネルとのタイムフレーム同期を行うためにＵＥによって評価される。これは、スクランブリンググループ番号を判定するのに役立つ。それによって、ＵＥは、スクランブリングコードがそのようなスクランブリンググループに関連する８個のスクランブリングコードの中の１個であることを知る。
３．ＵＥが共通パイロットチャネル上で８個のスクランブリングコードのトライアルアンドエラーを行う。これは、適切なプライマリスクランブリングコードが見つかるまで行われる。
４．ＵＥがプライマリ共通制御物理チャネル（Ｐ−ＣＣＰＣＨ）から信号を受け取る。Ｐ−ＣＣＰＣＨにはブロードキャストチャネルの情報が入っている。
５．ＰＬＭＮ（公衆陸上移動網）を最初に選択するために、これらの信号のデコードおよび評価がＵＥによって行われる。ブロードキャストチャネル上のシステム情報内で、ＵＥはＰＬＭＮ識別を受け取ることができる。コンタクトされる特定のＰＬＭＮは、優先順にＰＬＭＮのリストに従って自動的に選択されても、手動で選択されてもよい。手動の場合は、ＵＥがユーザにどのＰＬＭＮが利用可能かを示す。この手順は、3GPP  TS23．122  V7．0．0  （2005−01）「NAS  Functions  related  to  Mobile  Station  （MS）  in  idle  mode」に明記されている。
６．ＰＬＭＮが選択された後で、登録およびキャンプオンに適したそのＰＬＭＮのセルを選択するために、セル選択手順が実施される。このセルの選択は、アイドルモード測定法およびセル選択基準に基づいて行われる。この手順は、3GPP  TS25．304  V6．1．0  （2004−03）「User  Equipment  （UE）  procedures  in  idle  mode  and  procedures  for  cell  reselection  in  connected  mode  （Release  6）」に明記されている。
【０００８】
ＷＬＡＮセルに登録しようとしているモバイル端末の場合（ＩＥＥＥ８０２．１１では、登録は関連付け（association）と呼ばれる）、モバイル端末はそのセルにも同期しなければならない。この同期プロセスは、使用される変調方式、たとえばＤＳＳＳ（直接シーケンススペクトラム拡散方式）またはＯＦＤＭ（直交周波数分割多重）によって決まる。
【０００９】
評価が、ＵＭＴＳまたはＷＬＡＮのデコードされたチャネルがオペレータネットワークに属しないことを示す場合は、このユーザ機器はさらに別のセルとの同期を開始しなければならない。
【００１０】
前述のステップ４で、ＵＥまたは移動局（ＩＥＥＥ規格でのモバイル端末）は、ブロードキャスト情報を基地局またはアクセスポイントから取得しなければならない。このブロードキャスト情報は、ネットワークＩＤ、モビリティ関係のパラメータ、リンクアクセスパラメータ、および位置決めデータなどその他のパラメータについて、モバイル端末に通知する必要がある。
【００１１】
表１は、３ＧＰＰ  ＵＭＴＳ、ＩＥＥＥ８０２．１１ＷＬＡＮ、およびＩＥＥＥ８０２．１１ｅＷＬＡＮ内で送られる現在のブロードキャスト情報を示す。この情報は、3GPP  TS25．133  V6．8．0（2004−12）「Requirements  for  Support  of  Radio  Resource  Management  （FDD）  （Release  6）」、3GPP  TS25．304  V6．1．0  （2004−03）「User  Equipment  （UE）  procedures  in  idle  mode  and  procedures  for  cell  reselection  in  connected  mode  （Release  6）」、3GPP  TS25．331  V6．2．0  （2004−06）「Radio  Resource  Control  （RRC）；  Protocol  Specification  （Release  6）」、ANSI／IEEE  Std  802．11、1999  Edition：「Part  11：  Wireless  LAN  Medium  Access  Control  （MAC）  and  Physical  Layer  （PHY）  Specifications」、IEEE  Std  802．11e／D5．0、２００３年７月  （Draft  Supplement  to  IEEE  Std  802．11，  1999  Edition  （Reaff  2003））：「Part  11：  Wireless  Medium  Access  Control  （MAC）  and  Physical  Layer  （PHY）  specifications：  Medium  Access  Control  （MAC）  Enhancements  for  Quality  of  Service  （QoS）」から得られる。
【００１２】
表２は、３ＧＰＰ  ＵＭＴＳ内で使用されるブロードキャストチャネルの特性、およびＩＥＥＥ８０２．１１ＷＬＡＮ内で使用されるビーコンフレームの特性を示す。この情報は、表１に関して前述したのと同じ参考文献によって得られたものである。これらの特性は、これらのシステム内でブロードキャスト情報がどの期間に送られたかを示す。さらに、この情報は、１期間内に送ることができる情報量（バイト単位）に関する詳細を提供し、全てのブロードキャスト情報が各期間に送られるとは限らないことが述べられている。
【００１３】
モバイル端末は、ＵＴＭＳ内でノードＢを介して登録を確立した後で、アイドルモードか接続モードかどちらかで動作する。どちらの場合でも、周囲のセルのモニタリングが行われる。
【００１４】
アイドルモードでは、ＵＥはセルにキャンプオンされる。この場合、ＵＥは、3GPP  TS25．133  V6．8．0  （2004−12）「Requirements  for  Support  of  Radio  Resource  Management  （FDD）  （Release  6）」に定義されているセル再選択基準に従って、定期的により良いセルを探す。サービス中のセルが、3GPP  TS25．304  V6．1．0  （2004−03）「User  Equipment  （UE）  procedures  in  idle  mode  and  procedures  for  cell  reselection  in  connected  mode  （Release  6）」に明記されているセル再選択基準を満たさない場合、ＵＥは測定制御システム情報に示されている全ての隣接セルの測定を開始する。ＵＥは、サービス中のセルを含めて最高３２のイントラ周波数（ｉｎｔｒａ−ｆｒｅｑｕｅｎｃｙ）セル、および３２の中間周波数セルをモニタリングすることができる。
【００１５】
接続モードでは、モバイル端末は、それ自身によってセル再選択を行うか、（ＣＥＬＬ＿ＦＡＣＨ状態、ＣＥＬＬ＿ＰＣＨ状態、ＵＲＡ＿ＰＣＨ状態）、またはネットワークによって制御されたハンドオーバを行う（ＣＥＬＬ＿ＦＡＣＨ状態、ＣＥＬＬ＿ＤＣＨ状態）。接続モードでの状態に応じて、モバイル端末は、以下のように隣接セルのモニタリングを行う。
【００１６】
ＣＥＬＬ＿ＤＣＨ：ＣＥＬＬ＿ＤＣＨ状態中に、ＵＥは識別されたイントラ周波数セルを連続的に測定し、モニタリングセット内で新しいイントラ周波数セルを探す。ネットワークがＵＥに検出されたセットセルを報告するように要求する場合は、ＵＥはモニタリングされたアクティブなセット以外にもイントラ周波数セルを探す。
【００１７】
ＣＥＬＬ＿ＦＡＣＨ：ＣＥＬＬ＿ＦＡＣＨ状態中に、ＵＥは識別されたイントラ周波数セルを連続的に測定し、モニタリングセット内で新しいイントラ周波数セルを探す。測定機会がアクティブ化された場合、測定機会間にイントラ周波数測定を行うことができる。
【００１８】
ＣＥＬＬ＿ＰＣＨ、ＵＲＡ＿ＰＣＨ：ＵＥは、無線測定法に基づいて、３ＧＰＰ  ＴＳ２５．３０４に指定されているセル再選択基準を評価し、より良いセルが見つけられた場合、そのセルが選択される。ＣＥＬＬ＿ＰＣＨおよびＵＲＡ＿ＰＣＨでのセル再選択要件は、アイドルモードでのセル再選択要件と同じである。
【００１９】
接続モードでは、定期的スキャンは数百ミリ秒の範囲内の間隔で行われる。これらの定期的スキャンに対する制限は、モバイル端末の電力消費量を低減するために必要である。さらに、周囲のセルの定期的モニタリングは、サービスの中断時間はクリティカルなので、進行中のサービスの低下を回避するために、できるだけ迅速に行われなければならない。定期的モニタリングは、接続損失を回避し、正確に時刻を決められたハンドオーバ手順を可能にするために行われる。モニタリングすることができる隣接セルの数は強く制限されなければならず、その数はモバイルノードの機能によって決まる。３ＧＰＰ  ＴＳ２５．１３３によれば、ＵＥは、アクティブセットを含めて、最高３２までのイントラ周波数ＦＤＤセル、および３２の中間周波数セルをモニタリングすることができる。
【００２０】
特に接続モードおよびＣＥＬＬ＿ＤＣＨ状態で、タイムリーで定期的なデータ送信を必要とする進行中のリアルタイムサービスでは、同期および測定手順は、たとえばデータの損失、データの遅延などによって、サービスに悪影響を与えてはならない。したがって、セルとの同期を行うために必要な時間が、モニタリングすることができるセルの数およびモニタリングの繰り返し頻度を制限する。この時間は、次のビーコンまたはブロードキャストフレームの最大待ち時間によって決まるブロードキャスト情報を読み出すための時間を含む。さらに、この時間は、ダウンリンクチャネル上での測定、および、たとえば急速な変動をフィルタリングするための平均を行う時間も含む。
【００２１】
上記の説明から推論できるように、ブロードキャスト情報を有する多くの補足信号がアクセスポイントからモバイル端末に送信される。このシグナリング（ネットワークＩＤ、モビリティ関係のパラメータ、さらに先へのリンクアクセスパラメータなどの報告）は、サービス中のセルへの近隣でのアクセスポイントが多くなるので、将来さらに増加しそうである。これらの補足信号は、通信システムに以下のように影響する不利な点を示す。
【００２２】
ＵＭＴＳシステムで、ブロードキャストチャネルを介して送られる情報が多いほど、多くの干渉影響が現れ、それによってユーザデータの電力レベルに比べて電力ノイズレベルが高くなる。さらに、全てのブロードキャスト情報がブロードキャストチャネルの各無線フレームで送られるとは限らない。したがって、ブロードキャスト情報には、第２、第３、第４の無線フレームごとにだけ送られなければならないものもある。隣接セルのブロードキャスト情報が複数の無線フレームに分配される場合、ＵＥは、近隣のセルとの同期のためのパラメータを得るのにより長い時間を必要とする。
【００２３】
ＷＬＡＮシステムでは、ビーコンはＩＥＥＥ８０２．１１のユーザデータと同じ無線チャネルを共用するので、ビーコン内で送られる情報が多いほど、２つのビーコン間で送ることができるユーザデータは少なくなる。ブロードキャスト情報全体が大きすぎる場合は、その情報を複数のビーコンに分配しなければならない。この場合、モバイル端末は、セルの負荷およびセルの機能を評価するために必要なブロードキャスト情報を読み出すために、より長い時間を必要とする。
【非特許文献１】J．  Manner、M．  Kojo、「Mobility  Related  Terminology」、RFC  3753、  IETF、２００４年６月、（Informational）
【非特許文献２】3GPP  TS  23．122  V7．0．0  （2005−01）「NAS  Functions  related  to  Mobile  Station  （MS）  in  idle  mode」
【非特許文献３】3GPP  TS25．304  V6．1．0  （2004−03）「User  Equipment  （UE）  procedures  in  idle  mode  and  procedures  for  cell  reselection  in  connected  mode  （Release  6）」
【非特許文献４】3GPP  TS25．133  V6．8．0（2004−12）「Requirements  for  Support  of  Radio  Resource  Management  （FDD）  （Release  6）」
【非特許文献５】3GPP  TS25．331  V6．2．0  （2004−06）「Radio  Resource  Control  (RRC)；  Protocol  Specification  （Release  6）」
【非特許文献６】ANSI／IEEE  Std  802．11、1999  Edition：「Part  11：  Wireless  LAN  Medium  Access  Control  （MAC）  and  Physical  Layer  （PHY）  Specifications」
【非特許文献７】IEEE  Std  802．11e／D5．0、２００３年７月（Draft  Supplement  to  IEEE  Std  802．11，  1999  Edition  （Reaff  2003））：「Part  11：  Wireless  Medium  Access  Control  （MAC）  and  Physical  Layer  （PHY）  specifications：  Medium  Access  Control  （MAC）  Enhancements  for  Quality  of  Service  （QoS）」
【発明の開示】
【発明が解決しようとする課題】
【００２４】
本発明の一目的は、特に高ユーザデータトラフィック期間中の、通信ネットワークからモバイル端末へのシグナリングの低減を達成することである。
【課題を解決するための手段】
【００２５】
この目的および他の目的は、それぞれ独立した請求項に記載の特徴によって解決される。本発明のさらなる実施形態は、従属請求項に記載の特徴によって説明される。請求項に記載のどんな参照符号も本発明の範囲を限定するものととられないことが強調されるべきである。
【００２６】
本発明によれば、前述の諸目的は、第１ステップで、モバイル端末の地理的ロケーションが判定されたときに達成される。第２ステップで、同期および／または接続を確立することができる少なくとも１つのそのような基地局またはアクセスポイントを識別するために、このロケーションが基地局および／またはアクセスポイントの知られているロケーションと比べられる。第３ステップで、モバイル端末は、（ブロードキャスト情報をリスニングしダウンリンクトラフィックを測定するために）同期を確立し、かつ／または、識別された基地局および／またはアクセスポイントの少なくとも１つにシグナル通知するために接続を確立する。これは、同期または接続を確立する前にモバイル端末に知られている基地局および／またはアクセスポイントの技術パラメータを用いて行われる。
【００２７】
第１ステップの実施は、ＧＰＳ（全地球測位システム）などの知られているロケーション識別手段によって行うことができる。ただし、現在ガリレオと呼ばれている将来の欧州全地球測位システムのほうがより高い解像度を提供するので、そのシステムを使用することが好ましい。その結果として、モバイル端末は、経度および緯度として表わされることができる地理的ロケーションまたは位置を知る。
【００２８】
第２ステップでは、基地局および／またはアクセスポイントの地理的位置がモバイル端末に知られていると仮定している。これは、その情報がモバイル端末の記憶メモリ、特に不揮発性メモリに記憶されているデータベースに入っている場合に、確実なものになり得る。アクセスポイントは全て単一の遠隔通信ネットワークに属していても、異なるネットワークに属していてもよい。
【００２９】
たいていの場合、モバイル端末の現在の位置に最も近いモニタリング用アクセスポイントを選べば十分である。その他、データベース内の最も高い優先値を用いてセルを選ぶこと、オペレーションフェーズ（パワーオン、アイドルモード、接続モード）に関係するセルを選ぶこと、モバイル端末の速度に応じてセル（小さいセル、大きいセル）を選ぶこと、要求されたサービスまたは進行中のサービスに応じてセルを選ぶこと、あるいは、１ビットあたりのコストまたは１秒あたりのコストに応じてセルを選ぶことも可能である。
【００３０】
第３ステップで、モバイル端末が、ブロードキャスト情報をリスニングしダウンリンクトラフィックを測定するための同期を確立し、あるいは識別されたアクセスポイントへの接続を確立する。これは、前述のデータベースに記憶されている、したがってセルとの同期またはセルへの接続を確立する前にモバイル端末に知られている、このアクセスポイントに関連するパラメータを使用して行われる。送信ダイバーシチの場合は、複数のアクセスポイントまたは基地局との同期あるいは接続が確立される。
【００３１】
第２ステップおよび第３ステップを要約すると、モバイル端末は以下の情報を含む記憶メモリを有する。
ａ）基地局および／またはアクセスポイントの地理的位置に関する情報、および
ｂ）これらの基地局および／またはアクセスポイントに関連するパラメータであって、これらの基地局およびアクセスポイントとの同期または接続を確立するためにモバイル端末によって使用可能なパラメータに関する情報。
【００３２】
別段の指示がない限り、この情報に関連するデータは以下の説明では「データ」と呼ぶ。
【００３３】
データおよびその数の適切な選択は、主に記憶メモリのサイズによって決まる。データは、記憶メモリに記憶されていて、したがって、モバイル端末にとってすぐ利用可能である。これらのデータは、必要なときに、基地局からモバイル端末に転送される必要はない。その結果、シグナリングは、特に高データトラフィック期間に、望み通りに低減される。
【００３４】
アクセスポイントのデータを有するデータベースは、以下ではアクセスポイントマップと呼ばれる。
【００３５】
一般に、本発明は、時間独立パラメータ、たとえば、アクセスポイントが動作する周波数範囲の記憶を可能にする。表３は、ＵＭＴＳおよびＷＬＡＮシステムのためのそのようなプライマリ時間独立データを示す。アクセスポイントマップを使用すると、モバイル端末がＧＰＳおよびそのアクセスポイントを使用して、それ自身で周囲のセルを見つけることができるので、ブロードキャストチャネルに、あるいはアクセスポイントのビーコンに近隣リストを追加する必要がない。
【００３６】
本発明を使用しなければ、近隣情報リスト内の、同じまたは異なる無線アクセス技術の、そのセル自身に関する、および隣接セルに関するこの情報は全て、ブロードキャストチャネルに、あるいは各セル内のビーコンに含まれていなければならない。これは、ブロードキャストチャネルまたはビーコンのシグナル通知が非常に増大することを意味する。
【００３７】
さらに、アクセスポイントの時間依存データは、たとえば１時間またはそれ以上の時間枠内で変化するアクセスポイントマップ内にセカンダリデータとして含まれていてもよい。表４は、ＵＭＴＳおよびＷＬＡＮシステムに関するそのようなデータを示す。
【００３８】
アクセスポイントマップが使用される場合でも、モバイルネットワークのブロードキャスト情報内にとどまらなければならない情報もある。たとえば、実際の送信電力、実際の負荷情報、テストパターンなどである。
【００３９】
本発明の他の利点は、モバイル端末が、より高速でかつ低減された電力消費量で、アクセスポイントと同期し、あるいは接続することである。
【００４０】
パワーオン動作フェーズ中にアクセスポイントマップを使用することによって、モバイル端末は、位置判定のためにＧＰＳ受信機およびコンピュータプログラムを使用してその位置を判定した後で、ＰＬＭＮの周囲のセルと直ちに同期することができるので、ＰＬＭＮへの登録をスピードアップすることができる。ＰＬＭＮに属しないセルとの同期は回避することができる。これは、周波数ドメインがただ１人のオペレータ専用に予約されているのでない場合は、非常に重要である。オペレータによって管理されていないセルとの同期を回避することによって、登録手順中の電力消費量が低減される。
【００４１】
アイドルモードでは、アクセスポイントマップを使用することによって、隣接セルのモニタリングプロセスを、したがってセル再選択プロセス全体をスピードアップすることができる。さらに、データベースの使用によって、セル再選択手順中の電力消費量が低減される。
【００４２】
接続モードでは、アクセスポイントマップを使用することによって、定期的モニタリングプロセスを、したがってハンドオーバ候補セル選択プロセス全体をスピードアップすることができる。さらに、時間変化ブロードキャスト情報と共にアクセスポイントマップ内に保持される情報が多いほど、セルのモニタリングするモバイル端末の選択は妥当になる。より高速でより正確なハンドオーバ候補セル選択プロセスによって、シームレスまたはロスレスなハンドオーバ手順を可能にすることができる。ハンドオーバ候補セル選択プロセスのスピードアップおよび正しいハンドオーバ候補セルの選択によって、電力消費量をさらに低減することができる。
【００４３】
そのロケーションおよびパラメータがモバイル端末の記憶メモリに記憶されているアクセスポイントは、通信システムの異なる規格に関連していてもよく、特にＵＭＴＳシステム、ＷＩＭＡＸシステム、およびＷＬＡＮシステムに関連していてもよい。実際には、他の規格または規格拡張のデータがデータベースに含まれていてもよい。
【００４４】
前述のデータはモバイル端末にダウンロード可能であることが好ましい。このようにすると、モバイル端末は、限られた記憶メモリを必要とするだけで、見つからないデータはダウンロードすることができる。一般に、ネットワークオペレータは、国全体さらには大陸などの大きな地理的エリアに関して前述のデータを利用することができる。モバイル端末が予め定義された地理的領域の境界に近づいた場合に始動する自動ダウンロードによって、データを上記の予め定義された地理的領域に限定することができるようになる。これは、アクセスポイントマップのデータが予め決められた空間的広がりの領域内にある基地局およびアクセスポイントを指していて、それによってモバイル端末が上記領域内に位置することを意味する。
【００４５】
移動電話などのモバイル端末は、そのロケーションを変えるので、本発明による方法は、前述のデータの更新サービスによって補足されることが好ましい。このデータは低トラフィックの時間に更新されることが好ましい。
【００４６】
毎時間、毎日、または毎週の更新情報が特定の地理的領域内にある全てのモバイル端末に送られる。本発明によるこの方法によって、さらに、数時間以上の範囲で変化する時間依存パラメータに関するブロードキャスト情報の低減も可能になる。たとえば、この領域で始動された新しい基地局およびアクセスポイント、あるいは、長い間シャットダウンされている古い基地局およびアクセスポイントである。さらに、保守作業のために特定の時間スイッチオフされる既存の基地局およびアクセスポイントに関する情報が更新されることもできる。この毎時間、毎日、または毎週の更新は、低トラフィック負荷を有する時間に送られることができる。
【００４７】
本発明のこれらおよび他の態様は、以下に記述される実施形態を参照することから明らかになり、それらを参照しながら説明される。参照符号の使用は本発明の範囲を限定するととられるものではないことに留意されたい。
【発明を実施するための最良の形態】
【００４８】
表１は、３ＰＧＧ  ＵＭＴＳ、ＩＥＥＥ８０２．１１、およびＩＥＥＥ８０２．１１ｅ内のブロードキャスト情報を記載している。
【００４９】
表２は、３ＧＰＰ  ＵＭＴＳ内のブロードキャストチャネルおよびＩＥＥＥ８０２．１１内のビーコンの特性を示す。この表の特性は、これらのシステム内でどの期間にブロードキャスト情報が送られたかを示す。さらに、この表は、１期間に送ることができる情報量（バイト単位）に関する詳細を提供し、全てのブロードキャスト情報が各期間に送られるとは限らないことが述べられている。
【００５０】
図１は、基地局２、２’および２’’を有し、アクセスポイント３、３’および３’’を有する通信ネットワーク４を示す。モバイル端末１は、衛星１４、１４’および１４’’の助けを借りてその現在の位置５を識別するＧＰＳシステム（図示されていない）を有する。移動局１は、挿入図１６によって示された予め定義された地理的領域内の基地局２、２’、２’’の位置６、６’、６’’、およびアクセスポイント３、３、３の位置７、７’、７’’を含むデータベースを有する。図１には近隣の基地局およびアクセスポイントだけが示されている。このデータベースはアクセスポイントマップを表す。
【００５１】
図２は、ネットワーク４のカバレッジエリア、すなわち国１５内の位置５にある移動局を示す。モバイル端末（図示されていない）のデータベースは、領域９内の基地局およびアクセスポイントについての情報を含む。領域９は半径１００ｋｍの円である。モバイル端末が領域９の境界１０に到達したときに、データベースが更新される。
【００５２】
図３は本発明によるモバイル端末１を示す。このモバイル端末は、従来の更新手段１３、たとえば、データを利用できる領域９（図示されていない）の境界１０に到達したとき、ネットワーク（図示されていない）に更新を要求するコンピュータプログラムを使用することができる。データは従来の不揮発性記憶メモリ１１に記憶されていて、管理手段、すなわち第２のコンピュータプログラムが、アクセスポイントとの同期または接続のための情報を使用する。
【００５３】
表３は例示的データベースのプライマリデータを示す。このデータは、列および行に配列されていて、列には１つのアクセスポイントに関する情報が入っている。行Ｐ１およびＰ２には、それぞれアクセスポイントの緯度および経度が入っている。行Ｐ３はＰＬＭＮ  ＩＤを示す。行Ｐ４は、ＵＭＴＳまたはＷＬＡＮなどの遠隔通信規格を示す。その他の行には、カバレッジ範囲、主放射方向、パワーオンのための優先値、アイドルモード、接続モードなどが入っている。
【００５４】
表４は例示的データベースのセカンダリデータを示す。このデータは、時間中に変化し、モバイル端末の移動とは無関係に定期的に更新されなければならない。データは列および行に配列されていて、列には１つのアクセスポイントに関する情報が入っている。行Ｓ１には、このアクセスポイントの、保守期間のためにダウンした、知られている時間全てが入っている。行Ｓ２は、保守作業のために機能が低下した、知られている時間全てを示す。行Ｓ３は、高トラフィック負荷の時間を示す。行Ｓ４には、１日（稼動日）の１時間ごとの最大可能トラフィック負荷の平均トラフィック負荷をパーセントで表す２４の値が入っている。
【００５５】
表１：３ＰＧＧ  ＵＭＴＳ、ＩＥＥＥ８０２．１１、およびＩＥＥＥ８０２．１１ｅ内のブロードキャスト情報を記載している表である。
表２：３ＧＰＰ  ＵＭＴＳ内のブロードキャストチャネルおよびＩＥＥＥ８０２．１１内のビーコンの特性を示す表である。
表３：ＵＭＴＳおよびＷＬＡＮシステム内、ならびに組み合わされた異種モバイル無線ネットワーク内でも使用されるアクセスポイントマップの１次データの例を示す表である。
表４：ＵＭＴＳおよびＷＬＡＮシステム内、ならびに組み合わされた異種モバイル無線ネットワーク内でも使用されるアクセスポイントマップのセカンダリデータおよび時間変化データの例を示す表である。
【表１】
2006262459.tif 000003
【表２】
2006262459.tif 000004
【表３】
2006262459.tif 000005
【表４】
2006262459.tif 000006
【図面の簡単な説明】
【００５６】
【図１】通信ネットワークを示す図である。
【図２】データベースのカバレッジエリアを示す図である。
【図３】モバイル端末を示す図である。
【符号の説明】
【００５７】
０１  モバイル端末
０２、０２’、０２’’  基地局
０３、０３’、０３’’  アクセスポイント
０４  通信ネットワーク
０５  モバイル端末のロケーション
０６  基地局１２の位置
０６’  基地局１２’の位置
０６’’  基地局１２’’の位置
０７  アクセスポイント２の位置
０７’  アクセスポイント２’の位置
０７’’  アクセスポイント２’’の位置
０８  ロケーション識別手段
０９  領域
１０  領域の境界
１１  記憶メモリ
１２  管理手段
１３  ダウンロード手段
１４、１４’、１４’’  衛星
１５  国
１６  挿入図
【図１】
2006262459.tif 000007
【図２】
2006262459.tif 000008
【図３】
2006262459.tif 000009
【外国語明細書】
2006262459.tif 000010
2006262459.tif 000011
2006262459.tif 000012
2006262459.tif 000013
2006262459.tif 000014
2006262459.tif 000015
2006262459.tif 000016
2006262459.tif 000017
2006262459.tif 000018
2006262459.tif 000019
2006262459.tif 000020
2006262459.tif 000021
2006262459.tif 000022
2006262459.tif 000023
2006262459.tif 000024
2006262459.tif 000025
2006262459.tif 000026
2006262459.tif 000027
2006262459.tif 000028
2006262459.tif 000029
2006262459.tif 000030
2006262459.tif 000031
2006262459.tif 000032
2006262459.tif 000033
2006262459.tif 000034